(57)【要約】    【課題】  従来、まつげを整形するビューラとマスカラ液を塗布するマスカラ塗布具は夫々製造されて、別々に使用されているものであり、まつげを整形しながら同時にマスカラ液を塗布しようと言う発想は無かった。    【解決手段】  本発明は、下方挟圧部１ａと片側把持部１ｂとを設けた片側ビューラ杆１と、上方挟圧部１ａと他側把持部１ｂとを設けた他側ビューラ杆２と備えたビューラにおいて、片側ビューラ杆１に容器保持部７を固定して容器８を保持させ、容器８から先端を下方挟圧部１ａ及び／又は上方挟圧部２ａに接続したノズル９を延設させ、下方挟圧部１ａ及び／又は上方挟圧部２ａを横設された挟圧部保持体１０に固定し、下方挟圧部１ａ及び／又は上方挟圧部２ａに複数の噴出孔１１を穿設して容器８を操作することにより下方挟圧部１ａ及び／又は上方挟圧部２ａにマスカラ液を供給する。    【選択図】  図１
2006000447.tif 000002
【特許請求の範囲】
【請求項１】
先端に支持杆用枢動軸で枢着された支持杆を介装した下方挟圧部と基端に片側把持部とを設けた片側ビューラ杆と、先端に上方挟圧部と基端に他側把持部とを設けた他側ビューラ杆と、該他側ビューラ杆と前記片側ビューラ杆とをクロスさせて枢着したビューラ杆用枢動軸と、前記他側ビューラ杆と前記支持杆との間に両側に枢動軸を枢着させた補助杆とを備えたまつげを挟圧して整形するビューラにおいて、前記片側ビューラ杆の基部側に容器保持部を固定し、該容器保持部に着脱自在にマスカラ液の充填された容器を保持させ、該容器の開口部にキャップを取着し、該キャップから先端を前記下方挟圧部に接続したノズルを延設させ、前記下方挟圧部の下方を内装し上方を突出させて前記支持杆の先端に横設された略樋状の挟圧部保持体に固定し、前記下方挟圧部に複数の噴出孔を穿設して前記容器を操作することにより下方挟圧部にマスカラ液を供給することを特徴とするビューラ型マスカラ塗布具。
【請求項２】
先端に支持杆用枢動軸で枢着された支持杆を介装した下方挟圧部と基端に片側把持部とを設けた片側ビューラ杆と、先端に上方挟圧部と基端に他側把持部とを設けた他側ビューラ杆と、該他側ビューラ杆と前記片側ビューラ杆とをクロスさせて枢着したビューラ杆用枢動軸と、前記他側ビューラ杆と前記支持杆との間に両側に枢動軸を枢着させた補助杆とを備えたまつげを挟圧して整形するビューラにおいて、前記片側ビューラ杆の基部側に容器保持部を固定し、該容器保持部に着脱自在にマスカラ液の充填された容器を保持させ、該容器の開口部にキャップを取着し、該キャップから先端を前記上方挟圧部に接続したノズルを延設させ、前記上方挟圧部の上方を内装し下方を突出させて前記他側ビューラ杆の先端に横設された略樋状の挟圧部保持体に固定し、前記上方挟圧部に複数の噴出孔を穿設して前記容器を操作することにより上方挟圧部にマスカラ液を供給することを特徴とするビューラ型マスカラ塗布具。
【請求項３】
先端に支持杆用枢動軸で枢着された支持杆を介装した下方挟圧部と基端に片側把持部とを設けた片側ビューラ杆と、先端に上方挟圧部と基端に他側把持部とを設けた他側ビューラ杆と、該他側ビューラ杆と前記片側ビューラ杆とをクロスさせて枢着したビューラ杆用枢動軸と、前記他側ビューラ杆と前記支持杆との間に両側に枢動軸を枢着させた補助杆とを備えたまつげを挟圧して整形するビューラにおいて、前記片側ビューラ杆の基部側に容器保持部を固定し、該容器保持部に着脱自在にマスカラ液の充填された容器を保持させ、該容器の開口部にキャップを取着し、該キャップから先端を前記下方挟圧部と前記上方挟圧部とに夫々接続した一対のノズルを延設させ、前記下方挟圧部の下方を内装し上方を突出させて前記支持杆の先端に横設された略樋状の挟圧部保持体に固定すると共に、前記上方挟圧部の上方を内装し下方を突出させて前記他側ビューラ杆の先端に横設された略樋状の挟圧部保持体に固定し、前記下方挟圧部と前記上方挟圧部とに夫々複数の噴出孔を穿設して前記容器を操作することにより前記下方挟圧部と前記上方挟圧部とにマスカラ液を供給することを特徴とするビューラ型マスカラ塗布具。
【請求項４】
前記下方挟圧部又は前記上方挟圧部とをまつげの形状に沿った湾曲した略円筒状とすると共に中心マスカラ液供給部に接続させた放射状に且つ多列の複数の噴出孔を穿設したことを特徴とする請求項１乃至請求項３に記載のビューラ型マスカラ塗布具。
【請求項５】
前記下方挟圧部又は前記上方挟圧部とをまつげの形状に沿った湾曲した長手方向の頂部に凹溝部を刻設した略ハート形筒状とすると共に前記凹溝部に中心マスカラ液供給部に接続させた複数の噴出孔を穿設したことを特徴とする請求項１乃至請求項３に記載のビューラ型マスカラ塗布具。
【請求項６】
前記下方挟圧部又は前記上方挟圧部とをまつげの形状に沿った湾曲した角筒状に形成すると共に長手方向の両側側面に中心マスカラ液供給部と接続させた夫々フエルト用凹溝を刻設し、該夫々のフエルト用凹溝に夫々フエルトを嵌入させたことを特徴とする請求項１乃至請求項３に記載のビューラ型マスカラ塗布具。
【請求項７】
前記下方挟圧部又は前記上方挟圧部とをまつげの形状に沿った湾曲した角筒状に形成すると共に長手方向の側面に櫛歯状の凹凸部を形成し、中心マスカラ液供給部に接続させて前記凹凸部の凹部に夫々噴出孔を穿設したことを特徴とする請求項１乃至請求項３に記載のビューラ型マスカラ塗布具。
【発明の詳細な説明】
【技術分野】
【０００１】
本発明はビューラ型マスカラ塗布具に関するものであって、更に詳細には、まつげをビューラで挟圧させて整形すると同時にマスカラ液を塗布することができるビューラ型マスカラ塗布具に関するものである。
【背景技術】
【０００２】
従来、まつげを整形するビューラと、まつげにマスカラ液を塗布するマスカラ塗布具は夫々製造されて、別々に使用されているものであり、まつげを整形しながら同時にマスカラ液を塗布しようと言う発想は無かった。
【０００３】
例えば、先に開示されている、ブラシは、一連（２）の荒毛（３）を支持するロッド（１）に垂直な平面内で一方方向に同様に湾曲しており、このブラシは、上まぶたと下まぶたのまつげ（１３，１４）にマスカラを容易に、均一に、効率よく塗布することができるもの（特許文献１参照）や、つまみ部１０２と保護キャップ１１０で結合されている本体１００のつまみ部１０２の内部に乾電池１０８を内蔵させ、外面に設置されている作動スイッチ１０６で先端部の加熱管１１２と接続するようにし、所要部位に表示ランプ１２２を設け、加熱管１１２に連結して設置されているまつげ成形具において、上記加熱管１１２に連結して設置されているシリコン部１１８とその上側に発熱体１１４を挿入して形成されているブラシ部１０４を眼球の屈曲に似せて湾曲して形成し、所要の間隔で上記発熱体が露出できるように形成された安全突起１１６を形成し、上記ブラシ部１０４の左右両側にまつげの成形支持部１２０が形成されてなるもの（特許文献２参照）や、筒形容器に貯留したマスカラ液に浸漬されるブラシ部を先端に形成した細長い支持管を突成してなるキャップの前記支持管内に、通電により発熱して該支持管を加熱するヒーターを挿入するとともに、該ヒーターを、前記キャップ内に収容した電池または商用交流電源への接続端子にスイッチを介して接続したもの（特許文献３参照）等が開示されている。
【特許文献１】特表２０００−５０５６６９号公報
【特許文献２】特許２９１３３９６号公報
【特許文献３】実公平３−８１９９号公報
【発明の開示】
【発明が解決しようとする課題】
【０００４】
然し乍ら、先に開示された、ブラシは、一連（２）の荒毛（３）を支持するロッド（１）に垂直な平面内で一方方向に同様に湾曲しており、このブラシは、上まぶたと下まぶたのまつげ（１３，１４）にマスカラを容易に、均一に、効率よく塗布することができるものでは、マスカラ液を容易に均一に効率よく塗布することができるものであるが、同時にカールすることはできないものである。
【０００５】
更に、つまみ部１０２と保護キャップ１１０で結合されている本体１００のつまみ部１０２の内部に乾電池１０８を内蔵させ、外面に設置されている作動スイッチ１０６で先端部の加熱管１１２と接続するようにし、所要部位に表示ランプ１２２を設け、加熱管１１２に連結して設置されているまつげ成形具において、上記加熱管１１２に連結して設置されているシリコン部１１８とその上側に発熱体１１４を挿入して形成されているブラシ部１０４を眼球の屈曲に似せて湾曲して形成し、所要の間隔で上記発熱体が露出できるように形成された安全突起１１６を形成し、上記ブラシ部１０４の左右両側にまつげの成形支持部１２０が形成されてなるものでは、シリコン部に発熱体を挿入して加熱しながらまつげを成形するものであるが、成形と同時にマスカラ液を塗布することはできないものである。
【０００６】
更には、筒形容器に貯留したマスカラ液に浸漬されるブラシ部を先端に形成した細長い支持管を突成してなるキャップの前記支持管内に、通電により発熱して該支持管を加熱するヒーターを挿入するとともに、該ヒーターを、前記キャップ内に収容した電池または商用交流電源への接続端子にスイッチを介して接続したものでは、マスカラ液を塗布するブラシ部に通電により発熱して加熱するヒーターを挿入しているもので、塗布しながらマスカラ液を乾燥させて成形をするものであるが、ブラシ部にマスカラ液に付着させることと加熱して乾燥させることとのタイミングが非常に困難なものである。
【課題を解決するための手段】
【０００７】
本発明のビューラ型マスカラ塗布具は、前述の課題に鑑み、鋭意研鑽の結果、支持杆用枢動軸で枢着された支持杆を介装した下方挟圧部と片側把持部とを設けた片側ビューラ杆と、上方挟圧部と他側把持部とを設けた他側ビューラ杆と、他側ビューラ杆と片側ビューラ杆とをクロスさせて枢着したビューラ杆用枢動軸と、他側ビューラ杆と支持杆との間に両側に枢動軸を枢着させた補助杆とを備えたビューラにおいて、片側ビューラ杆に容器保持部を固定し、容器保持部に容器を保持させ、容器にキャップを取着し、キャップから先端を下方挟圧部に接続したノズルを延設させ、下方挟圧部を支持杆に横設された挟圧部保持体に固定し、下方挟圧部に複数の噴出孔を穿設して容器を操作することにより下方挟圧部にマスカラ液を供給するものであり、更には、ビューラにおいて、片側ビューラ杆に容器保持部を固定し、容器保持部に容器を保持させ、容器にキャップを取着し、キャップから上方挟圧部に接続したノズルを延設させ、上方挟圧部を他側ビューラ杆に横設された略樋状の挟圧部保持体に固定し、上方挟圧部に複数の噴出孔を穿設して容器を操作することにより上方挟圧部にマスカラ液を供給するものであり、更には、ビューラにおいて、片側ビューラ杆に容器保持部を固定し、容器保持部に容器を保持させ、容器にキャップを取着し、キャップから先端を下方挟圧部と上方挟圧部とに夫々接続した一対のノズルを延設させ、下方挟圧部を支持杆に横設された挟圧部保持体に固定すると共に、上方挟圧部を他側ビューラ杆に横設された挟圧部保持体に固定し、下方挟圧部と上方挟圧部とに複数の噴出孔を穿設して容器を操作することにより下方挟圧部と上方挟圧部とにマスカラ液を供給するものであり、加えて、下方挟圧部又は上方挟圧部とを湾曲した略円筒状とすると共に中心マスカラ液供給部に接続させた放射状に且つ多列の複数の噴出孔を穿設したものであり、更には、下方挟圧部又は上方挟圧部とを湾曲した長手方向の頂部に凹溝部を刻設すると共に凹溝部に中心マスカラ液供給部に接続させた複数の噴出孔を穿設したものであり、更には、下方挟圧部又は上方挟圧部とを湾曲した角筒状に形成すると共に長手方向の両側側面に中心マスカラ液供給部と接続させたフエルト用凹溝を刻設し、フエルト用凹溝にフエルトを嵌入させたものであり、下方挟圧部又は上方挟圧部とを湾曲した角筒状に形成すると共に長手方向の側面に櫛歯状の凹凸部を形成し、中心マスカラ液供給部に接続させて凹凸部の凹部に噴出孔を穿設したのである。
【発明の効果】
【０００８】
本発明のビューラ型マスカラ塗布具は、ビューラ杆にマスカラ液が充填された容器を着脱自在に固定できることと、容器を操作することにより下方挟圧部又は／及び上方挟圧部に穿設した複数の噴出孔よりマスカラ液を噴出できることにより、ビューラ杆の把持部を持ち、先端の夫々の挟圧部でまつげを挟圧して、カールを整形しながらマスカラ液を塗布できるものである。
【発明を実施するための最良の形態】
【０００９】
本発明はビューラ型マスカラ塗布具に関するものであって、更に詳細には、まつげをビューラで挟圧して整形すると同時にマスカラ液を塗布するビューラ型マスカラ塗布具に関するものであり、請求項１に記載のビューラ型マスカラ塗布具は、先端に支持杆用枢動軸４で枢着された支持杆５を介装した下方挟圧部１ａと基端に片側把持部１ｂとを設けた片側ビューラ杆１と、先端に上方挟圧部２ａと基端に他側把持部２ｂとを設けた他側ビューラ杆２と、該他側ビューラ杆２と前記片側ビューラ杆１とをクロスさせて枢着したビューラ杆用枢動軸３と、前記他側ビューラ杆２と前記支持杆５との間に両側に枢動軸６ａ．６ａを枢着させた補助杆６とを備えたまつげを挟圧して整形するビューラにおいて、前記片側ビューラ杆１の基部側に容器保持部７を固定し、該容器保持部７に着脱自在にマスカラ液の充填された容器８を保持させ、該容器８の開口部にキャップ８ａを取着し、該キャップ８ａから先端を前記下方挟圧部１ａに接続したノズル９を延設させ、前記下方挟圧部１ａの下方を内装し上方を突出させて前記支持杆５の先端に横設された略樋状の挟圧部保持体１０に固定し、前記下方挟圧部１ａに複数の噴出孔１１を穿設して前記容器８を操作することにより下方挟圧部１ａにマスカラ液を供給するものである。
【００１０】
更に、請求項２に記載のビューラ型マスカラ塗布具は、先端に支持杆用枢動軸４で枢着された支持杆５を介装した下方挟圧部１ａと基端に片側把持部１ｂとを設けた片側ビューラ杆１と、先端に上方挟圧部２ａと基端に他側把持部２ｂとを設けた他側ビューラ杆２と、該他側ビューラ杆２と前記片側ビューラ杆１とをクロスさせて枢着したビューラ杆用枢動軸３と、前記他側ビューラ杆２と前記支持杆５との間に両側に枢動軸６ａ．６ａを枢着させた補助杆６とを備えたまつげを挟圧して整形するビューラにおいて、前記片側ビューラ杆１の基部側に容器保持部７を固定し、該容器保持部７に着脱自在にマスカラ液の充填された容器８を保持させ、該容器８の開口部にキャップ８ａを取着し、該キャップ８ａから先端を前記上方挟圧部２ａに接続したノズル９を延設させ、前記上方挟圧部２ａの上方を内装し下方を突出させて前記他側ビューラ杆２の先端に横設された略樋状の挟圧部保持体１０に固定し、前記上方挟圧部２ａに複数の噴出孔１１を穿設して前記容器８を操作することにより上方挟圧部２ａにマスカラ液を供給するものである。
【００１１】
更には、請求項３に記載のビューラ型マスカラ塗布具は、先端に支持杆用枢動軸４で枢着された支持杆５を介装した下方挟圧部１ａと基端に片側把持部１ｂとを設けた片側ビューラ杆１と、先端に上方挟圧部２ａと基端に他側把持部２ｂとを設けた他側ビューラ杆２と、該他側ビューラ杆２と前記片側ビューラ杆１とをクロスさせて枢着したビューラ杆用枢動軸３と、前記他側ビューラ杆２と前記支持杆５との間に両側に枢動軸６ａ．６ａを枢着させた補助杆６とを備えたまつげを挟圧して整形するビューラにおいて、前記片側ビューラ杆１の基部側に容器保持部７を固定し、該容器保持部７に着脱自在にマスカラ液の充填された容器８を保持させ、該容器８の開口部にキャップ８ａを取着し、該キャップ８ａから先端を前記下方挟圧部１ａと前記上方挟圧部２ａとに夫々接続した一対のノズル９．９を延設させ、前記下方挟圧部１ａの下方を内装し上方を突出させて前記支持杆５の先端に横設された略樋状の挟圧部保持体１０に固定すると共に、前記上方挟圧部２ａの上方を内装し下方を突出させて前記他側ビューラ杆２の先端に横設された略樋状の挟圧部保持体１１に固定し、前記下方挟圧部１ａと前記上方挟圧部２ａとに夫々複数の噴出孔１１を穿設して前記容器８を操作することにより前記下方挟圧部１ａと前記上方挟圧部２ａとにマスカラ液を供給するものである。
【００１２】
加えて、請求項４に記載のビューラ型マスカラ塗布具は、請求項１乃至請求項３に記載のビューラ型マスカラ塗布具において、前記下方挟圧部１ａ又は前記上方挟圧部２ａとをまつげの形状に沿った湾曲した略円筒状とすると共に中心マスカラ液供給部１２に接続させた放射状に且つ多列の複数の噴出孔１１を穿設したものである。
【００１３】
更には、請求項５に記載のビューラ型マスカラ塗布具は、請求項１乃至請求項３に記載のビューラ型マスカラ塗布具において、前記下方挟圧部１ａ又は前記上方挟圧部２ａとをまつげの形状に沿った湾曲した長手方向の頂部に凹溝部１３を刻設した略ハート形筒状とすると共に前記凹溝部１３に中心マスカラ液供給部１２に接続させた複数の噴出孔１１を穿設したものである。
【００１４】
更には、請求項６に記載のビューラ型マスカラ塗布具は、請求項１乃至請求項３に記載のビューラ型マスカラ塗布具において、前記下方挟圧部１ａ又は前記上方挟圧部２ａとをまつげの形状に沿った湾曲した角筒状に形成すると共に長手方向の両側側面に中心マスカラ液供給部１２と接続させた夫々フエルト用凹溝１４を刻設し、該夫々のフエルト用凹溝１４に夫々フエルト１５を嵌入させたものである。
【００１５】
更には、請求項７に記載のビューラ型マスカラ塗布具は、請求項１乃至請求項３に記載のビューラ型マスカラ塗布具において、前記下方挟圧部１ａ又は前記上方挟圧部２ａとをまつげの形状に沿った湾曲した角筒状に形成すると共に長手方向の側面に櫛歯状の凹凸部１６を形成し、中心マスカラ液供給部１２に接続させて前記凹凸部１６の凹部に夫々噴出孔１１を穿設したものである。
【実施例】
【００１６】
以下、本発明のビューラ型マスカラ塗布具の実施例の図面を用いて詳細に説明すると、図１は本発明のビューラ型マスカラ塗布具の実施例１を説明するための概要平面図であり、図２は本発明のビューラ型マスカラ塗布具の実施例１を説明するための概要側面図であり、図３は本発明のビューラ型マスカラ塗布具の実施例２を説明するための概要平面図であり、図４は本発明のビューラ型マスカラ塗布具の実施例２を説明するための概要側面図であり、図５は本発明のビューラ型マスカラ塗布具の実施例３を説明するための概要平面図であり、図６は本発明のビューラ型マスカラ塗布具の実施例３を説明するための概要側面図であり、図７は本発明のビューラ型マスカラ塗布具の実施例１の図１におけるＡ−Ａ線の断面図であり、図８は本発明のビューラ型マスカラ塗布具に用いる容器の実施例の要部断面図であり、図９は本発明のビューラ型マスカラ塗布具の実施例の上方挟圧部又は下方挟圧部の断面図であり、図１０は本発明のビューラ型マスカラ塗布具の次実施例の上方挟圧部又は下方挟圧部の断面図であり、図１１は本発明のビューラ型マスカラ塗布具の他の実施例の上方挟圧部又は下方挟圧部の説明図であり、図１２は本発明のビューラ型マスカラ塗布具のその他の実施例の上方挟圧部又は下方挟圧部の説明図である。
【００１７】
即ち、本発明のビューラ型マスカラ塗布具の片側ビューラ杆１と他側．ビューラ杆２とは、図１又は図３又は図４に図示する如く、ビューラ杆用枢動軸３でＸ字状にクロスさせて枢動可能に枢着されており、夫々の基端には指を挿通させて把持する片側把持部１ｂと他側把持部２ｂとを備え、夫々の先端にはまつげを挟圧して整形する下方挟圧部１ａと上方挟圧部２ａとを備えているもので、後述する上方挟圧部２ａの下面と下方挟圧部１ａの上面とでまつげを挟圧して整形するものである。
【００１８】
そして、支持杆５は片側ビューラ杆１の先端に支持杆用枢動軸４で枢動可能に枢着させており、先端辺には後述する補助杆６を枢動軸６ａで枢着させているものである。
【００１９】
次に、補助杆６は支持杆５と前記片側ビューラ杆１との間に両側に枢動可能な枢動軸６ａ．６ａを枢着させて、支持杆５の先端に固定した下方挟圧部１ａの位置と上方挟圧部２ａとの位置とを合致させるようにしている周知のまつげを整形するためのビューラと同様なものである。
【００２０】
次いで、容器保持部７は実施例では、図７に図示するように、片側ビューラ杆１の基部側に一体的にＣ字状に突設させているものであるが、別部材で形成して固定したものでも構わないものである。
【００２１】
そして、容器８は図８に図示する如く、マスカラ液が充填されており、片側ビューラ杆１に設けた容器保持部７に着脱自在に保持されるもので、蛇腹状の容器８として底部を押圧することによって一定量のマスカラ液を後述するノズル９を介して噴出孔１１から噴出させるものであり、開口部には後述するキャップ８ａを嵌着又は螺着するようにスナップ又はネジを設けているものである。
【００２２】
次いで、キャップ８ａは容器８の開口部に嵌着又は螺着するようにスナップ又はネジを設けており、中心にはマスカラ液を噴出させるためのノズル９を延設させているものである。
【００２３】
次に、ノズル９はチューブ状のもので、基端を容器８に閉蓋したキャップ８ａの中心に貫通させており、先端は後述する下方挟圧部１ａ又は上方挟圧部２ａの中心マスカラ液供給部１２に接続させているものである。
【００２４】
次いで、挟圧部保持体１０は略樋状のもので片側ビューラ杆１の支持杆５の先端に又は他側ビューラ杆２の先端に横設されており、後述するノズル１０からマスカラ液が供給される側の下方挟圧部１ａ又は上方挟圧部１ｂの底部を内装させているものである。
【００２５】
更に、下方挟圧部１ａ又は上方挟圧部１ｂは挟圧部保持体１０に下方又は上方を内装しており、上方又は下方を突出させ、上面又は下面は上方挟圧部２ａ又は下方挟圧部１ａの下面又は上面と合着してまつげを挟圧するものである。
【００２６】
更に、ノズル９の先端は下方挟圧部１ａ又は上方挟圧部２ａの両端を閉鎖して長手方向をまつげの形状に沿って湾曲させた筒状体の中空内部である中心マスカラ液供給部１２に接続させているものである。
【００２７】
そして、容器８の底部を押圧して操作することにより、マスカラ液はノズル９を通り複数の噴出孔１１から噴射するものであり、複数の噴出孔１１は下方挟圧部１ａ又は上方挟圧部２ａに多数穿設させているために、マスカラ液は複数の噴出孔１１から下方挟圧部１ａ又は上方挟圧部２ａの当接面に供給されるものである。
【００２８】
更に、図９に図示する実施例では、下方挟圧部１ａ又は上方挟圧部２ａとを両端を閉鎖させると共に、長手方向をまつげの形状に沿った湾曲した略円筒状としたもので、中空内部の中心マスカラ液供給部１２に接続させた放射状に且つ多列の複数の噴出孔１１を穿設したものである。
【００２９】
更には、図１０に図示する次実施例では、下方挟圧部１ａ又は上方挟圧部２ａとを両端を閉鎖させると共に、長手方向をまつげの形状に沿った湾曲させ、長手方向の頂部に凹溝部１３を刻設した略ハート形筒状としたもので、凹溝部１３に中空内部の中心マスカラ液供給部１２に接続させた複数の噴出孔１１を穿設したものである。
【００３０】
加えて、図１１に図示する他の実施例では、下方挟圧部１ａ又は上方挟圧部２ａとを両端を閉鎖させると共に、長手方向をまつげの形状に沿った湾曲させた角筒状に形成したもので、該角筒状の長手方向の両側側面に中心マスカラ液供給部１２と接続させた夫々フエルト用凹溝１４を刻設し、夫々のフエルト用凹溝１４に通水性を有した素材で形成されたフエルト１５を夫々嵌入させたものである。
【００３１】
加えて、図１２に図示するその他の実施例では、下方挟圧部１ａ又は上方挟圧部２ａとを両端を閉鎖させると共に、長手方向をまつげの形状に沿った湾曲させた角筒状に形成したもので、該角筒状の長手方向の側面に櫛歯状の多数の段部を有した凹凸部１６を形成し、中空とした角筒状の中心マスカラ液供給部１２に接続させて凹凸部１６の凹部に噴出孔１１を穿設したものである。
【００３２】
つまり、本発明のビューラ型マスカラ塗布具は、片側ビューラ杆１と他側ビューラ杆２の片側把持部１ｂと他側把持部２ｂとに指を通し上方挟圧部２ａと下方挟圧部１ａとの間にまつげを挟圧させて整形するものであり、同時に、容器８の底部を操作することにより、マスカラ液を下方挟圧部１ａ又は／及び上方挟圧部２ａの上面又は下面に供給できるものであり、マスカラ液が供給されない下方挟圧部１ａ又は上方挟圧部２ａは一般的な形状で構わないものである。
【産業上の利用可能性】
【００３３】
本発明のビューラ型マスカラ塗布具は、まつげの整形と、まつげへのマスカラ液の塗布を同時に行うものである。
【図面の簡単な説明】
【００３４】
【図１】図１は本発明のビューラ型マスカラ塗布具の実施例１を説明するための概要平面図である。
【図２】図２は本発明のビューラ型マスカラ塗布具の実施例１を説明するための概要側面図である。
【図３】図３は本発明のビューラ型マスカラ塗布具の実施例２を説明するための概要平面図である。
【図４】図４は本発明のビューラ型マスカラ塗布具の実施例２を説明するための概要側面図である。
【図５】図５は本発明のビューラ型マスカラ塗布具の実施例３を説明するための概要平面図である。
【図６】図６は本発明のビューラ型マスカラ塗布具の実施例３を説明するための概要側面図である。
【図７】図７は本発明のビューラ型マスカラ塗布具の実施例１の図１におけるＡ−Ａ線の断面図である。
【図８】図４は本発明のビューラ型マスカラ塗布具に用いる容器の実施例の要部断面図である。
【図９】図９は本発明のビューラ型マスカラ塗布具の実施例の上方挟圧部又は下方挟圧部の断面図である。
【図１０】図１０は本発明のビューラ型マスカラ塗布具の次実施例の上方挟圧部又は下方挟圧部の断面図である。
【図１１】図１１は本発明のビューラ型マスカラ塗布具の他の実施例の上方挟圧部又は下方挟圧部の説明図である。
【図１２】図１２は本発明のビューラ型マスカラ塗布具のその他の実施例の上方挟圧部又は下方挟圧部の説明図である。
【符号の説明】
【００３５】
１      片側ビューラ杆
１ａ    下方挟圧部
１ｂ    片側把持部
２      他側ビューラ杆
２ａ    上方挟圧部
２ｂ    他側把持部
３      ビューラ杆用枢動軸
４      支持杆用枢動軸
５      支持杆
６      補助杆
６ａ    枢動軸
７      容器保持部  
８      容器
８ａ    キャップ
９      ノズル
１０    挟圧部保持体
１１    噴出孔
１２    中心マスカラ液供給部
１３    凹溝部
１４    フエルト用凹溝
１５    フエルト
１６    凹凸部
【図１】
2006000447.tif 000003
【図２】
2006000447.tif 000004
【図３】
2006000447.tif 000005
【図４】
2006000447.tif 000006
【図５】
2006000447.tif 000007
【図６】
2006000447.tif 000008
【図７】
2006000447.tif 000009
【図８】
2006000447.tif 000010
【図９】
2006000447.tif 000011
【図１０】
2006000447.tif 000012
【図１１】
2006000447.tif 000013
【図１２】
2006000447.tif 000014